(57)【要約】【課題】  ペーパーの後端部が跳ねることがないように構成した画像記録装置。【解決手段】  ペーパーをライン状に若しくは走査式で画像記録する画像記録手段と、前記ペーパーに前記画像記録手段よりペーパー搬送方向上流側でループを形成するループ形成手段と、を備えた画像記録装置において、前記ループ形成手段のペーパー搬送方向上流側に搬送ローラを配置し、前記搬送ローラより抜けた前記ペーパーの後端部をループが突出する方向に移動させる移動手段を設けたこと。【選択図】        図２
2005134518.tif 000002
【特許請求の範囲】
【請求項１】
ペーパーをライン状に若しくは走査式で画像記録する画像記録手段と、前記ペーパーに前記画像記録手段よりペーパー搬送方向上流側でループを形成するループ形成手段と、を備えた画像記録装置において、
前記ループ形成手段のペーパー搬送方向上流側に搬送ローラを配置し、
前記搬送ローラより抜けた前記ペーパーの後端部をループが突出する方向に移動させる移動手段を設けたことを特徴とする画像記録装置。
【請求項２】
ペーパーをライン状に若しくは走査式で画像記録する画像記録手段と、前記ペーパーに前記画像記録手段よりペーパー搬送方向上流側でループを形成するループ形成手段と、を備えた画像記録装置において、
前記ループ形成手段のペーパー搬送方向上流側に第１搬送ローラを配置すると共に、前記第１搬送ローラと同軸若しくはその近傍に設けた第１ベルトローラと、前記ループが突出する方向に設けた第２ベルトローラとの間にベルトを張架し、
前記第１搬送ローラより抜けた前記ペーパーの後端部が前記ベルトに当接したとき、前記ベルトの回転により前記ペーパーの後端部を前記ループが突出する方向に移動させることを特徴とする画像記録装置。
【請求項３】
前記ループ形成手段のペーパー搬送方向下流側に第２搬送ローラを配置し、前記第２搬送ローラの回転を停止して前記第２搬送ローラにより前記ペーパーを狭着し、前記第１搬送ローラの回転により前記ペーパーの後半部のみを搬送してループを形成することを特徴とする請求項２に記載の画像記録装置。
【請求項４】
前記ループ形成手段は、前記ペーパーを前記第１搬送ローラから前記第２搬送ローラに搬送する際の案内となる固定案内部材と可動案内部材とからなり、前記可動案内部材はループが形成される前に前記ペーパーより退避することを特徴とする請求項２又は請求項３に記載の画像記録装置。
【請求項５】
前記ベルトは歯付きベルトであり、歯が外周面に位置するように張架したことを特徴とする請求項２〜４の何れか１項に記載の画像記録装置。
【請求項６】
前記ベルトを前記ベルトローラの軸方向に複数本配置したことを特徴とする請求項２〜５の何れか１項に記載の画像記録装置。
【請求項７】
前記ペーパーの後端部が前記ベルトの回転により前記第２ベルトローラの近傍に移動したとき、前記ベルトと略平行に配置したガイド部材を前記ベルトよりペーパー搬送方向下流側に突出させ、前記ペーパーの後端部を前記ガイド部材に当接させることを特徴とする請求項２〜６の何れか１項に記載の画像記録装置。
【請求項８】
ペーパーをライン状に若しくは走査式で画像記録する画像記録手段と、前記ペーパーに前記画像記録手段よりペーパー搬送方向上流側でループを形成するループ形成手段と、を備えた画像記録装置において、
前記ループ形成手段のペーパー搬送方向上流側に第１搬送ローラを配置すると共に、前記ループ形成手段のペーパー搬送方向下流側に第２搬送ローラを配置し、
前記ループ形成手段は案内ローラと該案内ローラを保持する可動案内部材よりなり、該可動案内部材は前記第１搬送ローラ若しくは第２搬送ローラの近傍に設けた支軸に回動自在に軸支され、
前記ペーパーの先端部を前記案内ローラ及び前記可動案内部材によって案内して前記第１搬送ローラより前記第２搬送ローラに搬送した後、
前記第２搬送ローラの回転を停止して前記第２搬送ローラにより前記ペーパーを狭着し、前記第１搬送ローラを回転させて前記ペーパーの後半部を搬送してループを形成したとき、前記ループの形成と共に前記案内ローラ及び前記可動案内部材は回動することを特徴とする画像記録装置。
【請求項９】
１枚の前記ペーパーの画像記録が終了した後、前記案内ローラ及び前記可動案内部材を原位置に復帰させる駆動手段を設けたことを特徴とする請求項８に記載の画像記録装置。
【請求項１０】
ペーパーをライン状に若しくは走査式で画像記録する画像記録手段と、前記ペーパーに前記画像記録手段よりペーパー搬送方向上流側でループを形成するループ形成手段と、を備えた画像記録装置において、
前記ループ形成手段のペーパー搬送方向上流側に、外周面に複数の押圧部を有して前記ペーパーにおける画像記録される面の裏面に当接するローラを設けたことを特徴とする画像記録装置。
【請求項１１】
前記押圧部は突部であることを特徴とする請求項１０に記載の画像記録装置。
【請求項１２】
前記押圧部はブラシであることを特徴とする請求項１０に記載の画像記録装置。
【請求項１３】
ペーパーをライン状に若しくは走査式で画像記録する画像記録手段と、前記ペーパーに前記画像記録手段よりペーパー搬送方向上流側でループを形成するループ形成手段と、を備えた画像記録装置において、
前記ループ形成手段のペーパー搬送方向上流側に、外周面に複数の摩擦部を有して前記ペーパーにおける画像記録される面の裏面に当接するローラを設けたことを特徴とする画像記録装置。
【請求項１４】
前記摩擦部はローレットであることを特徴とする請求項１３に記載の画像記録装置。
【請求項１５】
前記ループ形成手段のペーパー搬送方向上流側に第１搬送ローラを配置すると共にペーパー搬送方向下流側に第２搬送ローラを配置し、前記第２搬送ローラの回転を停止して前記第２搬送ローラにより前記ペーパーを狭着し、前記第１搬送ローラの回転により前記ペーパーの後半部のみを搬送してループを形成することを特徴とする請求項１０又は請求項１４に記載の画像記録装置。
【請求項１６】
前記ループ形成手段は、前記ペーパーを前記第１搬送ローラから前記第２搬送ローラに搬送する際の案内となる固定案内部材と可動案内部材とからなり、前記可動案内部材はループが形成される前に前記ペーパーより退避することを特徴とする請求項１０〜１５の何れか１項に記載の画像記録装置。
【請求項１７】
ペーパーをライン状に若しくは走査式で画像記録する画像記録手段と、前記ペーパーに前記画像記録手段よりペーパー搬送方向上流側でループを形成するループ形成手段と、を備えた画像記録装置において、
前記ループ形成手段のペーパー搬送方向上流側に第１搬送ローラを配置すると共に、前記ループ形成手段のペーパー搬送方向下流側に第２搬送ローラを配置し、
前記ペーパーに前記ループ形成手段によりループを形成する動作と、
前記第２搬送ローラを正転駆動して前記ペーパーをペーパー搬送方向下流側に搬送する動作と、
前記ペーパーの後端部が前記第１搬送ローラより抜けた後に、前記第２搬送ローラを逆転駆動して前記ペーパーをペーパー搬送方向上流側に搬送すると共に前記ペーパーの後端部を前記第１搬送ローラにて挟持することなく自然落下させる動作と、
前記第２搬送ローラを正転駆動して前記ペーパーをペーパー搬送方向下流側に搬送しながら前記画像記録手段により画像記録を行う動作と、
を備えたことを特徴とする画像記録装置。
【請求項１８】
前記ループ形成手段は、前記ペーパーを前記第１搬送ローラから前記第２搬送ローラに搬送する際の案内となる固定案内部材と可動案内部材とからなり、前記可動案内部材はループが形成される前に前記ペーパーより退避することを特徴とする請求項１７に記載の画像記録装置。
【発明の詳細な説明】
【技術分野】
【０００１】
本発明は印画紙等のペーパーに画像記録する画像記録装置に関し、詳しくは、ペーパーをライン状に若しくは走査式で画像記録する画像記録手段と、ペーパーに画像記録手段よりペーパー搬送方向上流側でループを形成するループ形成手段とを備えた画像記録装置に関する。
【背景技術】
【０００２】
従来より、一方の面に感光材料を塗布した長尺の印画紙をマガジンに収納し、そのマガジンから引き出した長尺の印画紙を所定の長さのシート状印画紙に切断した後、シート状印画紙を搬送しながら写真フィルムやメモリカード等の記録媒体に記録された画像をシート状印画紙に露光する画像記録装置が知られている。
【０００３】
ここで、画像記録装置は設置される空間に限りがあるので、できるだけ小型になるように形成されている反面、ある程度の長いシート状印画紙も搬送可能にする必要がある。そこで、切断すべき後端部が露光前にカッターの位置に搬送されるように、切断前に長尺の印画紙にループを形成している。その後、長尺の印画紙を切断してシート状印画紙とし、露光が進むにつれてシート状印画紙は先端部から搬送されるので、ループは次第に解消されてゆく。そして、印画紙の後端部が周辺部材より離れるときに、ループの形成により生じた反力によって後端部が跳ねることがあり、露光中の印画紙が振動して画質の劣化となる恐れがある。
【０００４】
このような一例を図１２に示す印画紙の搬送状態を示す経過図により詳細に説明する。
【０００５】
図１２（Ａ）乃至図１２（Ｅ）において、印画紙Ｐは左方から右方に搬送されるものとし、図示していないが左方即ち搬送方向上流側には一方の面に感光材料を塗布した長尺の印画紙ＬＰを収納したマガジン、及びマガジンから引き出した長尺の印画紙を所定の長さのシート状印画紙に切断する切断手段（カッター）が配置され、右方即ち搬送方向下流側には搬送されているシート状印画紙を１ライン毎に露光する露光手段が配置されている。なお、図において、印画紙Ｐは感光材料を塗布した感光面を上側にして搬送され、且つ、マガジン内で感光面が外側になるように巻回されているので、搬送時においては感光面の側が凸になるようにカーリングする傾向がある。
【０００６】
また、上流側には駆動ローラと従動ローラとからなる第１搬送ローラ９１が配置され、下流側には駆動ローラと従動ローラとからなる第２搬送ローラ９２が配置されている。そして、第１搬送ローラ９１と第２搬送ローラ９２との間には、長尺の印画紙ＬＰを第１搬送ローラ９１から第２搬送ローラ９２に搬送する際の案内となる固定案内部材９３と可動案内部材９４とが配置されている。
【０００７】
最初は図１２（Ａ）に示す如く、長尺の印画紙ＬＰは回転する第１搬送ローラ９１によって搬送され、固定案内部材９３と可動案内部材９４との間隙を通過し、更に回転する第２搬送ローラ９２によって露光手段に向けて搬送される。そして、印画紙ＬＰの先端部が所定の位置に搬送されたことを不図示のセンサが検知すると、第２搬送ローラ９２は印画紙ＬＰを狭持したまま回転を停止する。
【０００８】
次に、図１２（Ｂ）に示す如く、可動案内部材９４は回動して大きく退避する。この状態で第１搬送ローラ９１は回転を続けるので、印画紙ＬＰにおける第２搬送ローラ９２によって挟持された部所より後半部は搬送を続け、ループＬＰ１が形成される。第２搬送ローラ９２の回転停止より所定の時間が経過すると、印画紙ＬＰは切断手段によって所定の長さのシート状印画紙Ｐに切断される。
【０００９】
続いて、停止していた第２搬送ローラ９２の回転が開始し、印画紙Ｐの先端が露光手段に搬送されると、露光が開始する。また、印画紙Ｐの後端部Ｐ２が第１搬送ローラ９１から抜け出ると、図１２（Ｃ）、図１２（Ｄ）に示す如く、印画紙Ｐの後端部Ｐ２が第１搬送ローラ９１に当接したままループＰ１が次第に小さくなる。
【００１０】
そして、最後に図１２（Ｅ）に示す如く、印画紙Ｐの後端部Ｐ２が第１搬送ローラ９１から外れるときに、カーリング方向と逆方向に曲成していた反力によって感光面の側が凸になるように逆方向に跳ねることになる。これによって、露光中の印画紙Ｐが振動して画質の劣化となる恐れが生ずる。
【００１１】
なお、印画紙の跳ねによる振動を防止することを目的とした公開特許公報が開示されている（例えば、特許文献１参照）。
【特許文献１】特開２００１−５９９９２号公報
【発明の開示】
【発明が解決しようとする課題】
【００１２】
上記の特許文献１によれば、跳ねた印画紙の後端部がブラシ等で構成された緩衝部材に当接するように構成している。しかし、印画紙の後端部は変形後の反力によって跳ねるので、例え緩衝部材に当接するようにしても確実に振動を抑えることは困難である。
【００１３】
本発明はかかる問題に鑑みてなされたものであり、ペーパー（印画紙）の後端部が跳ねることがないように構成し、または、例え跳ねても画像記録中のペーパーが振動することのないように構成した画像記録装置を提案することを目的とする。
【課題を解決するための手段】
【００１４】
上記目的は下記の何れかの手段によって解決される。
（１）ペーパーをライン状に若しくは走査式で画像記録する画像記録手段と、前記ペーパーに前記画像記録手段よりペーパー搬送方向上流側でループを形成するループ形成手段と、を備えた画像記録装置において、前記ループ形成手段のペーパー搬送方向上流側に搬送ローラを配置し、前記搬送ローラより抜けた前記ペーパーの後端部をループが突出する方向に移動させる移動手段を設けたことを特徴とする画像記録装置。
（２）ペーパーをライン状に若しくは走査式で画像記録する画像記録手段と、前記ペーパーに前記画像記録手段よりペーパー搬送方向上流側でループを形成するループ形成手段と、を備えた画像記録装置において、前記ループ形成手段のペーパー搬送方向上流側に第１搬送ローラを配置すると共に、前記第１搬送ローラと同軸若しくはその近傍に設けた第１ベルトローラと、前記ループが突出する方向に設けた第２ベルトローラとの間にベルトを張架し、前記第１搬送ローラより抜けた前記ペーパーの後端部が前記ベルトに当接したとき、前記ベルトの回転により前記ペーパーの後端部を前記ループが突出する方向に移動させることを特徴とする画像記録装置。
（３）ペーパーをライン状に若しくは走査式で画像記録する画像記録手段と、前記ペーパーに前記画像記録手段よりペーパー搬送方向上流側でループを形成するループ形成手段と、を備えた画像記録装置において、前記ループ形成手段のペーパー搬送方向上流側に第１搬送ローラを配置すると共に、前記ループ形成手段のペーパー搬送方向下流側に第２搬送ローラを配置し、前記ループ形成手段は案内ローラと該案内ローラを保持する可動案内部材よりなり、該可動案内部材は前記第１搬送ローラ若しくは第２搬送ローラの近傍に設けた支軸に回動自在に軸支され、前記ペーパーの先端部を前記案内ローラ及び前記可動案内部材によって案内して前記第１搬送ローラより前記第２搬送ローラに搬送した後、前記第２搬送ローラの回転を停止して前記第２搬送ローラにより前記ペーパーを狭着し、前記第１搬送ローラを回転させて前記ペーパーの後半部を搬送してループを形成したとき、前記ループの形成と共に前記案内ローラ及び前記可動案内部材は回動することを特徴とする画像記録装置。
（４）ペーパーをライン状に若しくは走査式で画像記録する画像記録手段と、前記ペーパーに前記画像記録手段よりペーパー搬送方向上流側でループを形成するループ形成手段と、を備えた画像記録装置において、前記ループ形成手段のペーパー搬送方向上流側に、外周面に複数の押圧部を有して前記ペーパーにおける画像記録される面の裏面に当接するローラを設けたことを特徴とする画像記録装置。
（５）ペーパーをライン状に若しくは走査式で画像記録する画像記録手段と、前記ペーパーに前記画像記録手段よりペーパー搬送方向上流側でループを形成するループ形成手段と、を備えた画像記録装置において、前記ループ形成手段のペーパー搬送方向上流側に、外周面に複数の摩擦部を有して前記ペーパーにおける画像記録される面の裏面に当接するローラを設けたことを特徴とする画像記録装置。
（６）ペーパーをライン状に若しくは走査式で画像記録する画像記録手段と、前記ペーパーに前記画像記録手段よりペーパー搬送方向上流側でループを形成するループ形成手段と、を備えた画像記録装置において、前記ループ形成手段のペーパー搬送方向上流側に第１搬送ローラを配置すると共に、前記ループ形成手段のペーパー搬送方向下流側に第２搬送ローラを配置し、前記ペーパーに前記ループ形成手段によりループを形成する動作と、前記第２搬送ローラを正転駆動して前記ペーパーをペーパー搬送方向下流側に搬送する動作と、前記ペーパーの後端部が前記第１搬送ローラより抜けた後に、前記第２搬送ローラを逆転駆動して前記ペーパーをペーパー搬送方向上流側に搬送すると共に前記ペーパーの後端部を前記第１搬送ローラにて挟持することなく自然落下させる動作と、前記第２搬送ローラを正転駆動して前記ペーパーをペーパー搬送方向下流側に搬送しながら前記画像記録手段により画像記録を行う動作と、を備えたことを特徴とする画像記録装置。
【発明の効果】
【００１５】
本発明の画像記録装置によれば、ペーパーの後端部が跳ねて露光中のペーパーが振動して画質が劣化するようなことがなく、また、例え跳ねても露光中のペーパーが振動することがないという効果を奏する。
【発明を実施するための最良の形態】
【００１６】
先ず、本発明の画像記録装置の一例を図１の構成図に基づいて説明する。
【００１７】
図１において、画像記録装置１の左下部には、未露光の長尺の印画紙ＬＰ（ペーパー）を感光面の側が外側になるようにロール状に巻回して収納したマガジン１１がセットされている。マガジン１１から引き出された長尺の印画紙ＬＰは、搬送ローラ１２により搬送され、切断手段（カッター）１３を通過した後、第１搬送ローラ１４で搬送された後、更に第２搬送ローラ１５で搬送される。そして、印画紙ＬＰの先端部が所定の位置に搬送されたことを不図示のセンサが検知すると、第２搬送ローラ１５は印画紙ＬＰを狭持したまま回転が停止する。一方、第１搬送ローラ１４は回転を続けるので、印画紙ＬＰにおける第２搬送ローラ１５によって挟持された部所より後半部は搬送を続け、ループＬＰ１が形成される。第２搬送ローラ１５の回転停止より所定の時間が経過すると、印画紙ＬＰは切断手段１３によって所定の長さのシート状印画紙Ｐ（ペーパー）に切断される。続いて、停止していた第２搬送ローラ１５の回転が開始し、シート状印画紙Ｐの先端が画像記録手段３の位置に搬送されると、原画の画像が画像記録（露光）される。即ち、不図示の構成により、フィルムの画像を光電的に読み取ってデジタル信号にした後、種々の画像処理を施して記録用のデジタル画像データとし、このデジタル画像データに応じて変調した記録光により印画紙Ｐに１ライン毎に画像記録する。
【００１８】
なお、画像記録手段３は感熱、感圧、インクジェット等の記録方式を用いて走査式で画像記録する構成であってもよい。このとき、印画紙ＬＰ，Ｐに相当する搬送物は各々の記録方式に対応したペーパーとなる。
【００１９】
露光された印画紙Ｐは、更に搬送され、搬送ローラ群１６により搬送される過程でバックプリンタ１７によって裏印字され、自動現像機２内に導入される。
【００２０】
自動現像機２では、露光済の印画紙ｐは、処理槽である発色現像槽２１ａ、漂白定着槽２１ｂ、安定槽２１ｃ，２１ｄ，２１ｅ内を多数の搬送ローラにより順次搬送され、それぞれ、発色現像処理、漂白定着処理、安定化処理がなされる。前記各処理がなされた印画紙ｐは、乾燥部２２において乾燥されて機外に排出される。
【００２１】
次に、ループが形成された印画紙の後端部が跳ねることにより露光中の印画紙が振動して画質が劣化することを防止した４種の実施の形態を説明する。
【００２２】
［第１の実施の形態］
第１の実施の形態を図２乃至図５を参照して説明する。図２及び図３は印画紙の搬送状態を示す経過図、図４は第１搬送ローラ等の斜視図、図５はガイド部材に当接している印画紙の拡大図である。
【００２３】
図２（Ａ）乃至図３（Ｅ）において、印画紙Ｐは感光材料を塗布した感光面を上にして左方から右方に搬送されるものとし、左方即ち上流側には一方の面に感光材料を塗布した長尺の印画紙を収納した前述のマガジン１１、及びマガジン１１から引き出した長尺の印画紙を所定の長さのシート状印画紙に切断する前述の切断手段１３が配置され、右方即ち下流側には搬送されているシート状印画紙を１ライン毎に画像記録即ち露光する前述の画像記録手段３が配置されている。
【００２４】
各図において、上流側には駆動ローラ３１ａと従動ローラ３１ｂとからなる第１搬送ローラ３１（図１の第１搬送ローラ１４に相当する。）が配置され、下流側には駆動ローラ３２ａと従動ローラ３２ｂとからなる第２搬送ローラ３２（図１の第２搬送ローラ１５に相当する。）が配置されている。そして、第１搬送ローラ３１と第２搬送ローラ３２との間には、長尺の印画紙ＬＰを第１搬送ローラ３１から第２搬送ローラ３２に搬送する際の案内となる固定案内部材３３と可動案内部材３４とが配置されている。
【００２５】
また、複数の駆動ローラ３１ａの間にはベルト３５の一端を支持して回転駆動する第１ベルトローラ３６が配置され、その下方にはベルト３５の他端を支持して従動回転する第２ベルトローラ３７が配置されている。ここで、ベルト３５は外周面に複数の歯を有している歯付きベルトであり、矢印方向に回転する。また、第１ベルトローラ３６の半径にベルト３５の厚みを加えた値は、駆動ローラ３１ａの半径と同等若しくは駆動ローラ３１ａの半径より小さい値に形成されている。
【００２６】
更に、ベルト３５の側方にはガイド部材３８が左右に移動可能に設けられていて、ガイド部材３５の右側面３８ａは平滑に形成されている。
【００２７】
最初は図２（Ａ）に示す如く、長尺の印画紙ＬＰは回転する第１搬送ローラ３１によって搬送され、印画紙ＬＰの先端部は固定案内部材３３と可動案内部材３４との間隙を通過し、更に回転する第２搬送ローラ３２によって画像記録手段３に向けて搬送される。そして、印画紙ＬＰの先端部が所定の位置に搬送されたことを不図示のセンサが検知すると、第２搬送ローラ３２は回転を停止し印画紙ＬＰを狭持する。
【００２８】
次に、図２（Ｂ）に示す如く、可動案内部材３４は反時計方向に回動して大きく退避する。この状態で第１搬送ローラ３１は回転を続けるので、印画紙ＬＰにおける第２搬送ローラ３２によって挟持された部所より後半部は搬送を続け、次第にループＬＰ１が形成される。第２搬送ローラ３２の回転停止より所定の時間が経過すると、印画紙ＬＰは切断手段１３によって所定の長さのシート状印画紙Ｐに切断される。
【００２９】
続いて、停止していた第２搬送ローラ３２の回転が開始し、印画紙Ｐの先端部が画像記録手段３に搬送されると、画像記録が開始する。また、印画紙Ｐの後端部Ｐ２が第１搬送ローラ３１から抜け出ると、図２（Ｃ）に示す如く、印画紙Ｐの後端部Ｐ２は回転するベルト３５によって次第に下方に掻き落とされ、同時に印画紙ＰのＵ字形のループＰ１が広がってゆく。
【００３０】
そして、図３（Ｄ）に示す如く、印画紙Ｐの後端部Ｐ２がベルト３５の下端近傍まで掻き落とされると、左方に退避していたガイド部材３８が不図示の駆動手段によって右方に移動し、ベルト３５に代わって印画紙Ｐの後端部Ｐ２に当接するようになる。
【００３１】
その後、印画紙Ｐは第２搬送ローラ３２によって搬送され続けるので、図３（Ｅ）に示す如く、印画紙Ｐの後端部Ｐ２はガイド部材３７に当接した状態である程度まで上昇した後、ガイド部材３８から離れる。その後、ガイド部材３８はベルト３５の左方に移動して退避する。
【００３２】
なお、印画紙Ｐの後端部Ｐ２がベルト３５によって掻き落とされるときは、図２（Ｃ）に示す如く印画紙の下面、即ち感光面でない面がベルト３５に当接するので、問題ないが、印画紙Ｐの後端部Ｐ２が上昇するときにベルト３５に当接すると、感光面Ｐａが当接して傷が付くので、図５に示す如く印画紙Ｐの後端部Ｐ２をガイド部材３８の平滑な面３８ａに当接させるようにしている。
【００３３】
このようにして、印画紙Ｐの後端部Ｐ２がベルト３５により掻き落とされることによって印画紙ＰのＵ字形のループＰ１は次第に広がってゆき、曲成された反力がなくなってゆくので、印画紙Ｐの後端部Ｐ２が最後に離れるときに跳ねることがなく、画像記録に影響することがない。
【００３４】
なお、図４に示す如く、ベルト３５は軸方向に複数本あって、複数の駆動ローラ３１ａと複数の第１ベルトローラ３６とを同軸に配置したが、必ずしも同軸である必要はなく、駆動ローラ３１ａの近傍に第１ベルトローラ３６を配置して互いの駆動源を異ならせてもよい。また、同軸であっても駆動源を異ならせてもよい。
【００３５】
更に、ベルト３５を常に回転させてもよいし、ガイド部材３８を右方に移動させたときは、ベルト３５の回転を停止してもよい。
【００３６】
また、ベルト３５は必ずしも歯付きベルトである必要はないが、印画紙Ｐの後端部Ｐ２が引っ掛かり易いように複数の突部が形成されていることが望ましい。
【００３７】
その他に、ベルト３５は垂直に掛けられているが、第１ベルトローラ３６より第２ベルトローラ３７を左方、即ち上流側に配置して、ベルト３５を傾けることにより、印画紙Ｐが位置する下方の空隙が広がり、ベルト３５の下方では印画紙Ｐの後端部Ｐ２がベルト３５に当接し難くなる。従って、ガイド部材３８を省略することも可能になる。
【００３８】
［第２の実施の形態］
第２の実施の形態を図６及び図７を参照して説明する。図６及び図７は印画紙の搬送状態を示す経過図である。
【００３９】
図６（Ａ）乃至図７（Ｅ）において、印画紙Ｐの搬送状態並びに不図示のマガジン１１、切断手段１３及び画像記録手段３に関しては第１の実施の形態と同様である。
【００４０】
各図において、上流側には駆動ローラ４１ａと従動ローラ４１ｂとからなる第１搬送ローラ４１（図１の第１搬送ローラ１４に相当する。）が配置され、下流側には駆動ローラ４２ａと従動ローラ４２ｂとからなる第２搬送ローラ４２（図１の第２搬送ローラ１５に相当する。）が配置されている。そして、第１搬送ローラ４１と第２搬送ローラ４２との間には、長尺の印画紙ＬＰを第１搬送ローラ４１から第２搬送ローラ４２に搬送する際の案内となる案内ローラ４３と可動案内部材４４とが配置され、案内ローラ４３は可動案内部材４４に保持され、且つ、可動案内部材４４は第２搬送ローラ４２の近傍に支軸を有して回動自在に軸支されている。
【００４１】
最初は図６（Ａ）に示す如く、長尺の印画紙ＬＰは回転する第１搬送ローラ４１によって搬送され、印画紙ＬＰの先端部は案内ローラ４３と可動案内部材４４との間隙を通過し、更に回転する第２搬送ローラ４２によって画像記録手段３に向けて搬送される。そして、印画紙ＬＰの先端部が所定の位置に搬送されたことを不図示のセンサが検知すると、第２搬送ローラ４２は回転を停止し印画紙ＬＰを狭持する。
【００４２】
第２搬送ローラ４２が停止した状態で第１搬送ローラ４１は回転を続けるので、印画紙ＬＰにおける第２搬送ローラ４２によって挟持された部所より後半部は搬送を続け、ループＬＰ１が次第に大きく形成される。そして、ループＬＰ１の張力によって図６（Ｂ）及び図６（Ｃ）に示す如く、可動案内部材４４は反時計方向に次第に回動してゆく。この状態で第２搬送ローラ９２の回転停止より所定の時間が経過すると、印画紙ＬＰは切断手段１４によって所定の長さのシート状印画紙Ｐに切断される。
【００４３】
続いて、停止していた第２搬送ローラ４２の回転が開始し、印画紙Ｐの先端部が画像記録手段３に搬送されると、画像記録が開始する。また、図６（Ｄ）に示す如く、印画紙Ｐの後端部Ｐ２が第１搬送ローラ４１から抜け出ると、図７（Ｅ）に示す如く、印画紙Ｐの後端部Ｐ２は自重で落下する。
【００４４】
その後、印画紙Ｐは第２搬送ローラ４２によって搬送され続け、画像記録手段３によって所定の画像記録が全て行われる。
【００４５】
１枚の印画紙Ｐの画像記録が終了した後は、案内ローラ４３と可動案内部材４４は不図示の駆動手段によって図６（Ａ）の状態に復帰する。
【００４６】
なお、印画紙Ｐの後端部Ｐ２が第１搬送ローラ４１から抜け出るときに多少の跳ねが生ずるが、図６（Ｄ）における第１搬送ローラ４１と案内ローラ４３との間隔は従来の図１２（Ｄ）における第１搬送ローラ９１と第２搬送ローラ９２との間隔より長く、しかも第１搬送ローラ４１から画像記録手段３までの距離は従来より案内ローラ４３と第２搬送ローラ４２との間隔分長く、更に従来にない案内ローラ４３によって第２搬送ローラ４２の上流側で印画紙Ｐを規制していて、その上、印画紙Ｐは第２搬送ローラ４２で略直角に屈曲しているので、跳ねによる振動が画像記録手段３の位置まで伝達されることはない。
【００４７】
なお、可動案内部材４４は必ずしも第２搬送ローラ４２の近傍に支軸を有する構成でなくてもよく、第１搬送ローラ４１の近傍に支軸を有する構成であってもよい。
【００４８】
また、可動案内部材４４を弱いバネで付勢し、ループの形成と共に可動案内部材４４がバネの付勢力で回動するようにしてもよい。
【００４９】
［第３の実施の形態］
第３の実施の形態を図８乃至図１０を参照して説明する。図８は印画紙の搬送状態を示す経過図、図９及び図１０は第１搬送ローラの駆動ローラの斜視図である。
【００５０】
本実施の形態は図１２に基づいて説明した従来の形態に対して、第１搬送ローラ５１の駆動ローラ５１ａの形状が異なるのみである。従って、図１２（Ａ）から図１２（Ｂ）までの移送過程は同様であるので、説明を省略する。
【００５１】
図１２（Ｂ）の後に印画紙Ｐの後端部Ｐ２が第１搬送ローラ５１から抜け出ると、図８（Ｃ）の状態になるが、駆動ローラ５１ａは外周面に複数の突部を有しているので、該突部が駆動ローラ５１ａに当接した印画紙Ｐの後端部Ｐ２を押圧して直ちに掻き落とす。
【００５２】
これにより、図８（Ｄ）に示す如く、印画紙Ｐの後端部Ｐ２は跳ねることなく、自然落下するので、前述の如き振動によって画像記録に影響する問題は生じない。
【００５３】
なお、駆動ローラ５１ａに関しては、複数の突部に代えて図９に示す如き複数のブラシを外周面に設けたもよい。
【００５４】
また、駆動ローラ５１ａは図１０に示す如くローレットを外周面に形成してもよい。更に、ローレットは図１０の如き平目でなく、あや目であってもよい。
【００５５】
即ち、駆動ローラ５１ａの外周面に突部やブラシの如く印画紙Ｐの後端部Ｐ２を押圧する押圧部を設けてもよいし、ローレットの如く印画紙Ｐの後端部Ｐ２を摩擦で押し出す摩擦部を設けてもよい。
【００５６】
［第４の実施の形態］
第４の実施の形態を図１１を参照して説明する。図１１は印画紙の搬送状態を示す経過図である。
【００５７】
本実施の形態は図１２に基づいて説明した従来の形態に対して構成は同一であるが、制御が異なるものである。
【００５８】
即ち、図１２（Ａ）から図１２（Ｂ）までの過程は同様であるが、切断手段によってシート状印画紙Ｐが形成されても画像記録手段３による画像記録は行われない。従って、図１２（Ｅ）の過程で印画紙Ｐの後端部Ｐ２が跳ねても問題が生じない。そして、第２搬送ローラ９２は回転を続け、図１１（Ｆ）の如く印画紙Ｐを後端部Ｐ２が第１搬送ローラ９１から確実に離れるまで搬送し、この状態で、第２搬送ローラ９２の回転を停止する。このときは、印画紙Ｐの先端部は画像記録手段３より下流側の位置まで搬送されており、印画紙Ｐの後端部Ｐ２は第２搬送ローラ９２から抜け出ていない。続いて、第２搬送ローラ９２を逆転させると、図１１（Ｇ）の如く印画紙Ｐの後端部Ｐ２は他の部材に触れることなく自重で垂れ下がった状態で上流側に搬送され、先端部が画像記録手段３にて画像記録される適正な位置になったとき、第２搬送ローラ９２の逆転を停止する。その後、再び第２搬送ローラ９２の回転させて印画紙Ｐを下流側に搬送し、画像記録手段３よりライン毎に画像記録する。
【００５９】
なお、第２搬送ローラ９２の逆転によって印画紙Ｐの先端部が画像記録手段３より上流側の位置まで搬送されてから、第２搬送ローラ９２の逆転を停止するようにしてもよい。
【００６０】
以上の如く説明した各実施の形態においては、印画紙が横方向に搬送されるものとして説明したが、本発明は必ずしも横方向に限定されるものではなく、例えば印画紙を上方から下方に搬送する構成であってもよいし、下方から上方に搬送する構成であってもよい。
【００６１】
また、本発明は前述の如きマガジンにセットした長尺の印画紙を搬送してループを形成する構成に限定されるものではなく、最初からシート状に切断された複数の印画紙を載置し、印画紙を１枚ずつ搬送してループを形成する構成であってもよく、この場合は切断手段は不要となる。
【図面の簡単な説明】
【００６２】
【図１】画像記録装置の構成図である。
【図２】第１の実施の形態における印画紙の搬送状態を示す経過図である。
【図３】第１の実施の形態における印画紙の搬送状態を示す経過図である。
【図４】第１の実施の形態における第１搬送ローラ等の斜視図である。
【図５】第１の実施の形態におけるガイド部材に当接している印画紙の拡大図である。
【図６】第２の実施の形態における印画紙の搬送状態を示す経過図である。
【図７】第２の実施の形態における印画紙の搬送状態を示す経過図である。
【図８】第３の実施の形態における印画紙の搬送状態を示す経過図である。
【図９】第３の実施の形態における第１搬送ローラの駆動ローラの斜視図である。
【図１０】第３の実施の形態における第１搬送ローラの駆動ローラの斜視図である。
【図１１】第４の実施の形態における印画紙の搬送状態を示す経過図である。
【図１２】従来技術における印画紙の搬送状態を示す経過図である。
【符号の説明】
【００６３】
ＬＰ，Ｐ  印画紙
ＬＰ１，Ｐ１  ループ
Ｐ２  後端部
３  画像記録手段
１１  マガジン
１３  切断手段
１４，３１，４１，５１，９１  第１搬送ローラ
１５，３２，４２，９２  第２搬送ローラ
３３，９３，  固定案内部材
３４，４４，９４  可動案内部材
３５  ベルト
３８  ガイド部材
４３  案内ローラ
５１ａ  駆動ローラ
【図１】
2005134518.tif 000003
【図２】
2005134518.tif 000004
【図３】
2005134518.tif 000005
【図４】
2005134518.tif 000006
【図５】
2005134518.tif 000007
【図６】
2005134518.tif 000008
【図７】
2005134518.tif 000009
【図８】
2005134518.tif 000010
【図９】
2005134518.tif 000011
【図１０】
2005134518.tif 000012
【図１１】
2005134518.tif 000013
【図１２】
2005134518.tif 000014